(57)【特許請求の範囲】
【請求項１】
軸支持部を有するリール本体と、
前記軸支持部に片持ち支持されたスプール軸と、
前記スプール軸に対して回転自在な筒状の支持ユニットと、
前記支持ユニットに装着され、前記スプール軸に対して回転自在であり、外周に釣糸が巻かれるスプールと、
前記スプール軸が貫通可能であり、前記支持ユニットの一端側において少なくとも一部が前記支持ユニットの外周部に配置され、前記スプールの軸方向の移動を規制する環状の第１規制部材と、
前記スプール軸が貫通可能であり、前記支持ユニットの他端側において少なくとも一部が前記支持ユニットの外周部に配置され、前記スプールの軸方向の移動を規制する環状の第２規制部材と、
前記支持ユニットの外周面に配置され、前記支持ユニットと前記第１規制部材との間、及び前記支持ユニットと前記第２規制部材との間をシールする１対の第１シール部材と、
前記第１規制部材の内周部から前記支持ユニットの内周部に侵入する水を防止する第２シール部材と、
前記第２規制部材の内周部から前記支持ユニットの内周部に侵入する水を防止する第３シール部材と、
を備えた片軸受リール。
【請求項２】
前記第２規制部材の内周側に配置されたドラグ力調節用のドラグ摘みを有するドラグ機構をさらに備え、
前記第３シール部材は、前記第２規制部材の内周部と前記ドラグ摘みの外周部との間をシールする、請求項１に記載の片軸受リール。
【請求項３】
軸支持部を有するリール本体と、
前記軸支持部に片持ち支持されたスプール軸と、
前記スプール軸に対して回転自在な筒状の支持ユニットと、
前記支持ユニットに装着され、前記スプール軸に対して回転自在であり、外周に釣糸が巻かれるスプールと、
前記軸支持部と前記スプール軸の内部とを貫通して配置されるドラグ軸と、
前記スプール軸が貫通可能であり、前記支持ユニットの一端側において少なくとも一部が前記支持ユニットの外周部に配置され、前記スプールの軸方向の移動を規制する環状の第１規制部材と、
前記支持ユニットの他端側において少なくとも一部が前記支持ユニットの外周部に配置され、前記スプールの軸方向の移動を規制する有底円筒形状の第２規制部材と、
前記支持ユニットの外周面に配置され、前記支持ユニットと前記第１規制部材との間、及び前記支持ユニットと前記第２規制部材との間をシールする１対の第１シール部材と、
前記第１規制部材の内周部から前記支持ユニットの内周部に侵入する水を防止する第２シール部材と、
前記スプール軸の内周部と前記ドラグ軸の外周部との間をシールする第３シール部材と、
を備えた片軸受リール。
【請求項４】
前記第２シール部材は前記第１規制部材の内周部と前記軸支持部の外周部との間をシールする、請求項１から３のいずれか１項に記載の片軸受リール。
【請求項５】
前記スプールは、内部に前記支持ユニットが挿入された筒状のボス部を有し、
前記ボス部は、前記第１規制部材と前記第２規制部材とに挟まれて、軸方向の移動が規制される、請求項１から４のいずれか１項に記載の片軸受リール。
【請求項６】
前記第１シール部材はＯリングである、請求項１から５のいずれか１項に記載の片軸受リール。
【請求項７】
前記支持ユニットは、前記スプール軸を支持するための１対の軸受と、前記１対の軸受の間に配置され前記スプールの回転方向に応じて回転を伝達・遮断するローラクラッチと、を有する、請求項１から６のいずれか１項に記載の片軸受リール。
【発明の詳細な説明】
【技術分野】
【０００１】
本発明は、片軸受リールに関する。
【背景技術】
【０００２】
片軸受リールは、フライフィッシングなどにおいて広く使用されている。例えば、特許文献１に開示された片軸受リールは、リール本体と、リール本体に片持ち支持されたスプール軸と、スプール軸に軸受を介して回転可能に装着されたスプールと、ドラグ機構と、を備えている。また、スプールには多数の貫通孔が設けられ、スプールの軽量化やリール本体の外観の向上が図られている。
【先行技術文献】
【特許文献】
【０００３】
【特許文献１】特開２００２−２１８８８１号公報
【発明の概要】
【発明が解決しようとする課題】
【０００４】
片軸受リールにおいては、前述のように、スプールの中心部の内部（すなわちスプール軸の周辺）には軸受やドラグ機構が設けられている。この部分に水や異物などが侵入すると、スプールの回転性能の低下や、ドラグ機構の制動力の低下を招くおそれがある。さらに、スプール軸周辺及びドラグ機構を構成する部材が腐食するおそれもある。
【０００５】
本発明の課題は、片軸受リールにおいて、スプール軸周辺への水などの侵入を防ぐことにより、リールの耐久性を高めるとともに、スプールの回転性能の低下を抑えることにある。また、ドラグ機構を有する片軸受リールにおいて、ドラグ機構の制動力の低下を抑えることにある。
【課題を解決するための手段】
【０００６】
（１）本発明の一側面に係る片軸受リールは、リール本体と、スプール軸と、筒状の支持ユニットと、スプールと、環状の第１規制部材と、環状の第２規制部材と、１対の第１シール部材と、第２シール部材と、第３シール部材と、を備えている。リール本体は軸支持部を有している。スプール軸は軸支持部に片持ち支持されている。支持ユニットはスプール軸に対して回転自在である。スプールは、支持ユニットに装着され、スプール軸に対して回転自在であり、外周に釣糸が巻かれる。第１規制部材は、スプール軸が貫通可能であり、支持ユニットの一端側において少なくとも一部が支持ユニットの外周部に配置され、スプールの軸方向の移動を規制する。第２規制部材は、スプール軸が貫通可能であり、支持ユニットの他端側において少なくとも一部が支持ユニットの外周部に配置され、スプールの軸方向の移動を規制する。１対の第１シール部材は、支持ユニットの外周面に配置され、支持ユニットと第１規制部材との間、及び支持ユニットと第２規制部材との間をシールする。第２シール部材は、第１規制部材の内周部から支持ユニットの内周部に侵入する水を防止する。第３シール部材は、第２規制部材の内周部から支持ユニットの内周部に侵入する水を防止する。
【０００７】
この片軸受リールでは、支持ユニットと他の部材との間に第１〜第３シール部材を配置されており、このため支持ユニットの内周部のスプール軸周辺に侵入する水を防止することができる。これにより、リールの耐久性を高めるとともに、スプールの回転性能の低下を抑えることができる。
【０００８】
（２）好ましくは、片軸受リールは、ドラグ機構をさらに備えている。ドラグ機構は、第２規制部材の内周側に配置されたドラグ力調節用のドラグ摘みを有している。そして、第３シール部材は、第２規制部材の内周部とドラグ摘みの外周部との間をシールする。
【０００９】
この場合は、ドラグ機構周辺への水の侵入を防ぐことができるため、前記同様の作用効果に加え、ドラグ機構の制動力の低下を抑えることができる。
【００１０】
（３）本発明の別の側面に係る片軸受リールは、リール本体と、スプール軸と、筒状の支持ユニットと、スプールと、ドラグ軸と、環状の第１規制部材と、有底円筒形状の第２規制部材と、１対の第１シール部材と、第２シール部材と、第３シール部材と、を備えている。リール本体は軸支持部を有する。スプール軸は軸支持部に片持ち支持されている。支持ユニットはスプール軸に対して回転自在である。スプールは、支持ユニットに装着され、スプール軸に対して回転自在であり、外周に釣糸が巻かれる。ドラグ軸は軸支持部とスプール軸の内部とを貫通して配置されている。第１規制部材は、スプール軸が貫通可能であり、支持ユニットの一端側において少なくとも一部が支持ユニットの外周部に配置され、スプールの軸方向の移動を規制する。第２規制部材は、支持ユニットの他端側において少なくとも一部が支持ユニットの外周部に配置され、スプールの軸方向の移動を規制する。１対の第１シール部材は、支持ユニットの外周面に配置され、支持ユニットと第１規制部材との間、及び支持ユニットと第２規制部材との間をシールする。第２シール部材は第１規制部材の内周部から支持ユニットの内周部に侵入する水を防止する。第３シール部材はスプール軸の内周部とドラグ軸の外周部との間をシールする。
【００１１】
この片軸受リールでは、第１〜第３シール部材を配置することで、スプール軸及びドラグ機構周辺への海水などの侵入を防ぐことができるため、リールの耐久性を高めるとともに、スプールの回転性能及びドラグ機構の制動力の低下を抑えることができる。
【００１２】
（４）好ましくは、第２シール部材は第１規制部材の内周部と軸支持部の外周部との間をシールする。
【００１３】
（５）好ましくは、スプールは内部に支持ユニットが挿入された筒状のボス部を有している。ボス部は、第１規制部材と第２規制部材とに挟まれて、軸方向の移動が規制される。
【００１４】
（６）好ましくは、第１シール部材はＯリングである。
【００１５】
（７）好ましくは、支持ユニットは、スプール軸を支持するための１対の軸受と、１対の軸受の間に配置されスプールの回転方向に応じて回転を伝達・遮断するローラクラッチと、を有している。
【００１６】
この場合は、軸受及びローラクラッチが配置された部分に侵入する水を防止することができるため、リールの耐久性を高めるとともに、スプールの回転性能の低下を抑えることができる。
【発明の効果】
【００１７】
本発明によれば、スプール軸周辺への水などの侵入を防ぐことができるため、リールの耐久性を高めるとともに、スプールの回転性能の低下を抑えることができる。また、ドラグ機構を有する片軸受リールでは、ドラグ機構の制動力の低下を抑えることができる。
【図面の簡単な説明】
【００１８】
【図１】本発明の第１実施形態による片軸受リールの側面図。
【図２】図１の片軸受リールのＩＩ−ＩＩ線断面図。
【図３】図２の拡大部分図。
【図４】図２の拡大部分図。
【図５】本発明の第２実施形態の図２に相当する図。
【図６】本発明の第２実施形態による片軸受リールのリール本体の外観斜視図。
【図７】図５の拡大部分図。
【図８】図５の拡大部分図。
【図９】図５の拡大部分図。
【発明を実施するための形態】
【００１９】
［第１実施形態］
図１及び図２は、本発明の第１実施形態が採用された片軸受リールの側面図及び断面図である。なお、以下の説明において、図２における右側を「第１側」とし、左側を「第２側」とする。
【００２０】
この片軸受リールは、リール本体１と、リール本体１に片持ち支持されたスプール軸２と、スプール軸２に対して回転自在に装着され外周に釣糸が巻かれるスプール３と、スプール３の一方向の回転を制動するドラグ機構４と、を有している。
【００２１】
また、スプール軸２とスプール３の内周部との間には筒状の支持ユニット５が設けられている。支持ユニット５の第１側には第１規制部材１１が配置され、逆側の第２側には第２規制部材１２が配置されている。そして、この支持ユニット５の内部に水などが侵入するのを防止するためのシール機構１３が設けられている。
【００２２】
リール本体１は、第１側に円板状の側板１５を有し、第２側は開放されている。側板１５の外周には、軸方向に延びる上保護部１５ａ及び下保護部１５ｂが上下方向に対向して形成されている。上保護部１５ａには、リール本体１を釣竿に取り付けるための取付部１５ｃが設けられている。側板１５には、周方向に間隔を隔てて複数（ここでは４箇所）の開口部１５ｄが形成されている。側板１５の中心部には、スプール軸２を固定するための軸支持部１５ｅが形成されている。軸支持部１５ｅの中心部には雌ねじ部１５ｆが形成されている。
【００２３】
スプール軸２は、第１端部に第１雄ねじ部２ａが形成されており、この第１雄ねじ部２ａが軸支持部１５ｅの雌ねじ部１５ｆに螺合されることにより、スプール軸２が側板１５の中心部にねじ込み固定されている。スプール軸２の第２端部には、第２雄ねじ部２ｂと第３雄ねじ部２ｃとが形成されている。第２雄ねじ部２ｂはスプール軸２の中央部とほぼ同径である。第３雄ねじ部２ｃは、第２雄ねじ部２ｂからさらに軸方向に突出して形成され、第２雄ねじ部２ｂよりも小径である。
【００２４】
スプール３は、リール本体１の内部に配置されている。スプール３は、糸巻胴部３ａと、内フランジ部３ｂと、外フランジ部３ｃと、ボス部３ｄと、糸巻胴部３ａとボス部３ｄとを連結する連結部３ｅと、を有しており、これらは一体形成されている。糸巻胴部３ａと、内フランジ部３ｂと、外フランジ部３ｃと、連結部３ｅと、にはスプールの軽量化とリール本体の概観の向上を図るための複数の抜き穴３ｆが形成されている。
【００２５】
糸巻胴部３ａは円筒形状であり、外周面に釣糸が巻かれる。内フランジ部３ｂは、糸巻胴部３ａの第１端部から外周に突出して形成され、リール本体１の側板１５と対向するように配置されている。外フランジ部３ｃは、糸巻胴部３ａの第２端部において外周に突出し、内フランジ部３ｂと対向するように配置されている。外フランジ部３ｃは、内フランジ部３ｂよりも大径に形成され、リール本体１の開放部を覆うように配置されている。外フランジ部３ｃの側面には、スプール３を回転操作するためのハンドル１６が取り付けられている。ボス部３ｄは、軸方向に延びる貫通孔３ｇを有する筒状の部材である。ボス部３ｄは、連結部３ｅの内周端部から第１側にのみ延びて形成されている。
【００２６】
支持ユニット５は、筒状に形成されて中心をスプール軸２が貫通しており、ボス部３ｄの内周部に収容されている。支持ユニット５は、外周面に軸方向に延びる図示しない係止突起を有しており、この係止突起がボス部３ｄの内周面に形成された軸方向に延びる図示しない係止溝部に係合している。このため、支持ユニット５はボス部３ｄに対して回転不能かつ着脱自在（軸方向に移動可能）である。また、支持ユニット５の外周面の両端部には１対の雄ねじ部５ａ，５ｂが形成されている。
【００２７】
図３に拡大して示すように、第１規制部材１１は支持ユニット５の第１側に配置され、第２規制部材１２は支持ユニット５の第２側に配置されている。第１及び第２規制部材１１，１２は、概ね円筒状の部材であり、スプール軸２が貫通する円形の開口部１１ａ，１２ａを有している。また、第１及び第２規制部材１１，１２の一部（内側）は、支持ユニット５の雄ねじ部５ａ，５ｂの外周部に配置されており、この一部の内周面には、１対の雄ねじ部５ａ，５ｂと係合する雌ねじ部１１ｂ，１２ｂが形成されている。
【００２８】
第１規制部材１１の第２側の一端面１１ｃは、スプール３のボス部３ｄの先端に接触している。また、第２規制部材１２の第１側の端面１２ｃは、スプール３の連結部３ｅの内周端部（ボス部３ｄの端部でもある）に接触している。このように、第１規制部材１１と第２規制部材１２とによってスプール３のボス部３ｄを挟みこむことによって、スプール３の軸方向の移動が規制されている。
【００２９】
図３に示すように、支持ユニット５は、その内部空間に、スプール３をスプール軸２に対して回転自在に支持する１対の軸受１８と、スプール３の回転をスプール軸２に対して釣糸繰り出し方向でのみ作動するためのローラクラッチ１９と、を有している。
【００３０】
図４を用いてドラグ機構４について説明する。ドラグ機構４は、ドラグ摘み２１と、コイルスプリング２２と、１対の軸受支持部材２３ａ，２３ｂと、１対のドラグワッシャ２４ａ，２４ｂと、キーワッシャ２５と、を有している。
【００３１】
ドラグ摘み２１は回転部２７及びスライド部２８を有している。回転部２７は中心部に雌ねじ部２７ａが形成されており、この雌ねじ部２７ａがスプール軸２の第２雄ねじ部２ｂに螺合している。スライド部２８は、中心部にスプール軸２が貫通する貫通孔を有しており、回転部２７に対して相対回転自在かつ軸方向に移動不能に装着されている。そして、スライド部２８は、回転部２７の回転に伴ってスプール軸２の外周面に沿って軸方向に移動可能である。
【００３２】
なお、回転部２７の中心部には凹部２８ａが形成されており、凹部２８ａには固定用ねじ部材２９が配置されている。固定用ねじ部材２９は、スプール軸２の第３雄ねじ部２ｃに螺合しており、この固定用ねじ部材２９によってドラグ摘み２１がスプール軸２から外れないようになっている。
【００３３】
１対の軸受支持部材２３ａ，２３ｂは、軸受１８を支持する筒状部と、筒状部の一端から外周側に延びる円板状のフランジ部と、を有している。そして、一方の軸受支持部材２３ａのフランジ部とローラクラッチ１９との間にドラグワッシャ２４ａ及びキーワッシャ２５が配置され、他方の軸受支持部材２３ｂのフランジ部とローラクラッチ１９との間にドラグワッシャ２４ｂが配置されている。また、コイルスプリング２２は、ドラグ摘み２１のスライド部２８の端面と、軸受支持部材２３ｂの筒状部の端面と、の間に配置されている。
【００３４】
以上の構成により、ドラグ摘み２１を回転させることによってスライド部２８を軸方向移動させ、ドラグ力を調整することが可能である。
【００３５】
次に、図４を用いてシール機構１３について説明する。シール機構１３は、１対のＯリング（第１シール部材）３１と、第２シール部材３２と、第３シール部材３３と、第４シール部材３４と、を有している。以下、各シール部について詳細に説明する。
【００３６】
支持ユニット５の外周面において、雄ねじ部５ａ，５ｂが形成された部分のさらに内側には環状の溝５ｃ，５ｄが形成されている。そして、この環状の溝５ｃ，５ｄと第１及び第２規制部材１１，１２の内周面との間に挟まれるように、１対のＯリング３１が配置されている。これにより、第１及び第２規制部材１１，１２の内周部と支持ユニット５の外周部との間から水等が侵入するのが防止される。
【００３７】
第２シール部材３２は、側板１５の軸支持部１５ｅの外周面に装着されている。第２シール部材３２は、第１規制部材１１の開口部１１ａと軸支持部１５ｅの外周面との間をシールする。これにより、第１規制部材１１の開口部１１ａから支持ユニット５内へ水等が侵入するのが防止される。
【００３８】
第３シール部材３３は、ドラグ摘み２１のスライド部２８の外周面に装着されている。第３シール部材３３は、第２規制部材１２の開口部１２ａとスライド部２８の外周面との間をシールする。これにより、第２規制部材１２の開口部１２ａから支持ユニット５内へ水等が侵入するのが防止される。
【００３９】
第４シール部材３４は、固定用ねじ部材２９の外周面に装着されている。第４シール部材３４は、固定用ねじ部材２９の外周部とドラグ摘み２１の回転部２７の凹部２８ａ内周面との間をシールする。これにより、ドラグ摘み２１の内周部からスプール軸２の外周面を通して支持ユニット５内に水等が侵入するのが防止される。
【００４０】
以上の片軸受リールにおいて、釣糸を巻き取る際は、ハンドル１６を操作してスプール３を回転させる。スプール３はスプール軸２に対して相対回転する。このとき、ローラクラッチ１９によってスプール３の巻き取り方向の回転は許容され、スプール３はスムーズに回転する。
【００４１】
スプール３から釣糸を繰り出す際には、スプール３は釣糸を巻き取る際と逆方向に回転する。このとき、ローラクラッチ１９はオンになるため、ドラグ機構４が作動し、調整されたドラグ力に応じてスプール３の回転が制動される。
【００４２】
本実施形態では、ローラクラッチ１９の装着方向を逆側に変更、すなわち支持ユニット５の装着方向を逆側に変更することで、釣り糸の巻き取り方向を逆方向に変更することができる。この場合、まず、第２規制部材１２を取り外して、スプール３を支持ユニット５から取り外す。次に、ドラグ摘み２１をスプール軸２から、固定用ねじ部材２９を取り外す。次に、スプール軸２から支持ユニット５を取り出し、次に、支持ユニット５から第１規制部材１１を取り外す。第１及び第２規制部材１１，１２は、支持ユニット５の１対の雄ねじ部５ａ，５ｂにそれぞれ係合可能となっているため、支持ユニット５の装着方向を逆側に変更して、第１規制部材１１を支持ユニット５に装着する。これにより、簡単にローラクラッチ１９の装着方向を逆側に変更することができる。以下の装着手順は、取り外し時の順序と逆になるだけであるため、説明を省略する。
【００４３】
［第２実施形態］
図５は、本発明の第２実施形態が採用された片軸受リールの断面図である。なお、この第２実施形態では、第１実施形態とは逆に、図５における左側を「第１側」とし、右側を「第２側」とする。
【００４４】
第１実施形態と同様に、この片軸受リールは、リール本体１０１と、リール本体１０１に片持ち支持されたスプール軸１０２と、スプール軸１０２に対して回転自在に装着され外周に釣糸が巻かれるスプール１０３と、スプール１０３の一方向の回転を制動するドラグ機構１０４と、を有している。
【００４５】
また、スプール軸１０２とスプール１０３の内周部との間には筒状の支持ユニット１０５が設けられている。支持ユニット１０５の第１側には第１規制部材１１１が配置され、逆側の第２側には第２規制部材１１２が配置されている。そして、この支持ユニット１０５の内部に水などが侵入するのを防止するためのシール機構１１３が設けられている。
【００４６】
リール本体１０１は、基本的に第１実施形態と同様の構成である。すなわち、第１側に円板状の側板１１５を有し、第２側は開放されている。また、側板１１５の外周には上保護部１１５ａ及び下保護部１１５ｂが形成され、上保護部１１５ａには取付部１１５ｃが設けられている。また、側板１１５の中心部には、スプール軸１０２を固定するための軸支持部１１５ｅが形成されている。軸支持部１１５ｅの中心部には雌ねじ部１１５ｆが形成されている。なお、図６の斜視図から明らかなように、第２実施形態のリール本体１０１は、第１実施形態とは異なり、側板１１５と対向する側に、環状部１１５ｇが形成されている。この環状部１１５ｇと側板１１５の外周部とが上保護部１１５ａ及び下保護部１１５ｂによって連結されている。
【００４７】
スプール軸１０２は、第１端部に第１雄ねじ部１０２ａが形成されており、この第１雄ねじ部１０２ａが軸支持部１１５ｅの雌ねじ部１１５ｆに螺合されることにより、スプール軸１０２が側板１１５の中心部にねじ込み固定されている。スプール軸１０２の中心部には、軸方向に貫通する貫通孔１０２ｂが形成されている。なお、スプール軸１０２の一部には、環状の鍔部１０２ｃが形成されており、この鍔部１０２ｃにリール本体１０１の軸支持部１１５ｅの先端部が当接している。
【００４８】
スプール１０３は、リール本体１０１の内部に配置されており、その構成は第１実施形態と同様である。すなわち、スプール１０３は、糸巻胴部１０３ａと、内フランジ部１０３ｂと、外フランジ部１０３ｃと、ボス部１０３ｄと、連結部１０３ｅと、を有している。また、外フランジ部１０３ｃの側面にはハンドル１１６が取り付けられている。
【００４９】
なお、この実施形態では、ボス部１０３ｄの内周面は、一部のみが支持ユニット１０５の外周面に接触し、その他の部分には隙間ｇが形成されている。これは、スプール１０３を支持ユニット１０５から取り外しやすくするためにである。
【００５０】
図７に、リール本体１０１の環状部１１５ｇとスプール１０３の外周部とを拡大して示している。環状部１１５ｇの先端部１１５ｈは、他の部分に比較して径方向の厚みが薄くなっている。一方、スプール１０３の外フランジ部１０３ｃの外周部には、さらに外周側に突出して溝部１０３ｆが形成されている。溝部１０３ｆは第１側に向かって開く断面コ字状に形成されている。そして、この溝部１０３ｆに、リール本体１０１の環状部１１５ｇの先端部１１５ｈが挿入されている。
【００５１】
以上のような構成では、溝部１０３ｆに挿入された先端部１１５ｈが溝部１０３ｆに接触しにくい。すなわち、サミング操作した場合や、釣り糸のテンションが大きい場合には、スプール１０３が傾きやすくなるが、スプール１０３が傾いた場合でも、スプール１０３とリール本体１０１とが接触しにくくなる。
【００５２】
支持ユニット１０５は、第１実施形態と同様に、筒状に形成され、スプール軸１０２が貫通しており、ボス部１０３ｄの内周部に収容されている。支持ユニット１０５はボス部１０３ｄに対して回転不能かつ着脱自在（軸方向に移動可能）である。また、支持ユニット１０５の外周面の両端部には１対の雄ねじ部１０５ａ，１０５ｂが形成されている。
【００５３】
図８に拡大して示すように、第１規制部材１１１は、概ね円筒状の部材であり、中心部に円形の開口部１１１ａを有している。また、第１規制部材１１１の一部（内側）は、支持ユニット１０５の雄ねじ部１０５ａの外周部に配置されており、この一部の内周面には、雄ねじ部１０５ａと係合する雌ねじ部１１１ｂが形成されている。
【００５４】
第２規制部材１１２は、有底円筒形状、すなわちキャップ状の部材である。第２規制部材１１２の一部（内側）は、支持ユニット１０５の雄ねじ部１０５ｂの外周部に配置されており、この一部の内周面には、雄ねじ部１０５ｂと係合する雌ねじ部１１２ｂが形成されている。
【００５５】
第１実施形態と同様に、第１規制部材１１１の第２側の一端面１１１ｃと、第２規制部材１１２の第１側の端面１１２ｃと、によってスプール１０３のボス部１０３ｄが挟みこまれており、これによりスプール１０３の軸方向の移動が規制されている。
【００５６】
また、支持ユニット１０５の内部空間に、１対の軸受１１８及びローラクラッチ１１９が配置されている構成も、第１実施形態と同様である。
【００５７】
ドラグ機構１０４は、ドラグ軸１２０と、ドラグ摘み１２１と、皿ばね１２２と、１対の軸受支持部材１２３ａ，１２３ｂと、１対のドラグワッシャ１２４ａ，１２４ｂと、１対のキーワッシャ１２５ａ，１２５ｂと、を有している。
【００５８】
ドラグ軸１２０は、軸支持部１１５ｅとスプール軸１０２の貫通孔１０２ｂとを貫通し、スプール軸１０２に対して回転不能に装着されている。ドラグ軸１２０の第１側の先端には、第１雄ねじ部１２０ａが形成され、さらに第１雄ねじ部１２０ａの先端には、第１雄ねじ部１２０ａよりも小径の第２雄ねじ部１２０ｂが形成されている。
【００５９】
ドラグ摘み１２１は回転部１２７及びスライド部１２８を有している。回転部１２７は中心部に雌ねじ部１２７ａが形成されており、この雌ねじ部１２７ａがドラグ軸１２０の第１雄ねじ部１２０ａに螺合している。スライド部１２８は、中心部にドラグ軸１２０が貫通する貫通孔を有しており、回転部１２７に対して相対回転自在かつ軸方向に移動不能に装着されている。そして、スライド部１２８は、回転部１２７の回転に伴ってドラグ軸１２０の外周面に沿って軸方向に移動可能である。
【００６０】
なお、回転部１２７の中心部には凹部１２８ａが形成されており、凹部１２８ａには固定用ねじ部材１２９が配置されている。固定用ねじ部材１２９は、ドラグ軸１２０の第２雄ねじ部１２０ｂに螺合しており、この固定用ねじ部材１２９によってドラグ摘み１２１がドラグ軸１２０から外れないようになっている。
【００６１】
１対の軸受支持部材１２３ａ，１２３ｂは、軸受１１８を支持する筒状部と、筒状部の一端から外周側に延びる円板状のフランジ部と、を有している。そして、一方の軸受支持部材１２３ａのフランジ部とローラクラッチ１１９との間にドラグワッシャ１２４ａ及びキーワッシャ１２５ａが配置され、他方の軸受支持部材１２３ｂのフランジ部とローラクラッチ１１９との間にドラグワッシャ１２４ｂ及びキーワッシャ１２５ｂが配置されている。また、皿ばね１２２は、ドラグ摘み１２１のスライド部１２８と、側板１１５の軸支持部１１５ｅと、の間に配置されている。
【００６２】
以上の構成により、ドラグ摘み１２１を回転させることによってスライド部１２８を軸方向移動させ、ドラグ力を調整することが可能である。
【００６３】
次に、図９を用いてシール機構１１３について説明する。シール機構１１３は、１対のＯリング（第１シール部材）１３１と、第２シール部材１３２と、第３シール部材１３３と、を有している。以下、各シール部について詳細に説明する。
【００６４】
１対のＯリング１３１については第１実施形態と同様の構成である。すなわち、支持ユニット１０５の外周面には環状の溝１０５ｃ，１０５ｄが形成されており、この環状の溝１０５ｃ，１０５ｄと第１及び第２規制部材１１１，１１２の内周面との間に挟まれるように、１対のＯリング１３１が配置されている。これにより、第１及び第２規制部材１１１，１１２の内周部と支持ユニット１０５の外周部との間から水等が侵入するのが防止される。
【００６５】
第２シール部材１３２は、側板１１５の軸支持部１１５ｅの外周面に装着されている。すなわち、軸支持部１１５ｅの外周面には環状の溝１１５ｉが形成されており、この環状の溝１１５ｉに第２シール部材１３２が装着されている。第２シール部材１３２は、第１規制部材１１１の開口部１１１ａと軸支持部１１５ｅとの間をシールする。これにより、第１規制部材１１１の開口部１１１ａから支持ユニット１０５内へ水等が侵入するのが防止される。
【００６６】
第３シール部材１３３は、スプール軸１０２の第１側の端部に設けられている。より詳細には、スプール軸１０２の第１側の端部には、内部に窪む環状の凹部１０２ｄが形成されている。そして、この凹部１０２ｄに第３シール部材１３３が装着されている。第３シール部材１３３の内周部はドラグ軸１２０の外周面に当接している。また、第３シール部材１３３は、一部が凹部１０２ｄから突出するように配置されている。そして、第３シール部材１３３の突出部の端面が、軸支持部１１５ｅの内周部に形成された鍔部１１５ｊに当接している。これにより、スプール軸１０２とドラグ軸１２０との間の隙間から水等が内部に侵入するのが防止される。
【００６７】
以上の片軸受リールにおける釣り糸の巻き取り及び繰り出し動作は、第１実施形態と同様であるのでここでは省略する。
【００６８】
また、第２実施形態においても、第１及び第２規制部材１１１，１１２は、支持ユニット１０５の１対の雄ねじ部１０５ａ，１０５ｂの両端にそれぞれ係合可能となっているため、ローラクラッチ１１９の装着方向を逆側に変更、すなわち支持ユニット１０５の装着方向を逆側に変更することで、糸巻方向を逆方向に変更することができる。
【００６９】
詳細には、まず第２規制部材１１２を取り外して、スプール１０３を支持ユニット１０５から取り外す。次に、固定用ねじ部材１２９及びドラグ摘み１２１を取り外し、ドラグ軸１２０を抜き取り、スプール軸１０２から支持ユニット１０５を取り外す。次に、第１規制部材１１１を取り外して、支持ユニット１０５の装着方向を逆側に変更して、第１規制部材１１１を取り付ける。以下の装着手順は、取り外し時の順序と逆になるだけであるため、説明を省略する。
【００７０】
［他の実施形態］
本発明は以上のような実施形態に限定されるものではなく、本発明の範囲を逸脱することなく種々の変形又は修正が可能である。
【符号の説明】
【００７１】
１，１０１  リール本体
１５ｅ，１１５ｅ  軸支持部
２，１０２  スプール軸
３，１０３  スプール
３ｄ，１０３ｄ  ボス部
４，１０４  ドラグ機構
５，１０５  支持ユニット
１１，１１１  第１規制部材
１２，１１２  第２規制部材
１８，１１８  軸受
１９，１１９  ローラクラッチ
２１，１２１  ドラグ摘み
３１，１３１  Ｏリング（第１シール部材）
３２，１３２  第２シール部材
３３，１３３  第３シール部材
【図１】
0006694758.tif 000002
【図２】
0006694758.tif 000003
【図３】
0006694758.tif 000004
【図４】
0006694758.tif 000005
【図５】
0006694758.tif 000006
【図６】
0006694758.tif 000007
【図７】
0006694758.tif 000008
【図８】
0006694758.tif 000009
【図９】
0006694758.tif 000010